(57)【要約】【課題】記録媒体に効率的に動画データを書き込んで保存することにより、撮影したにもかかわらず消去しなければならないシーンが生じることがない。【解決手段】メモリカードに記録した動画データを記録ディスクに書き込むときには、保存する領域及びその領域をＭＰＥＧ−２で圧縮するときの符号化ビットレートを設定する。また、非選択領域の動画データを保存したいときには、その符号化ビットレートを設定する（ステップ１００、１０２、１１６）。これにより、記憶ディスクの空き容量を検出して、選択した領域の符号化ビットレートが低くなるのを抑えながら、記録ディスクの空き領域に収まるように符号化ビットレートを設定して、記録ディスクに書き込む（ステップ１２０、１２２、１１４）。【選択図】　　　　図４
2004120367.tif 000002
【特許請求の範囲】
【請求項１】
撮像デバイスに結像される被写体像に応じた電気信号をデジタル画像データに変換し、静止画像として保存可能であると共に、前記被写体像に応じた動画像を動画データとして保存可能なデジタルスチルカメラであって、
前記撮影画像の動画データを記憶可能な記憶手段と、
動画データを圧縮処理するときに符号化ビットレートを可変可能な圧縮形式を含み、前記記憶手段に記憶する動画データに所定の圧縮処理を施すと共に、記録手段に記録した動画データの伸張処理ないし符号化ビットレートを変更した圧縮処理を行う圧縮伸張手段と、
動画データを記録媒体に書き込む書込み手段が接続されることにより、該書込み手段へ前記記憶手段に記録されている動画データを出力する出力手段と、
前記記憶手段に記憶されている動画データから前記記録媒体に記録する動画データを選択する選択手段と、
前記選択手段によって選択された動画データを所定の符号化ビットレートで前記出力手段から出力すると共に、非選択の動画データを選択された動画データの符号化ビットレートより低い符号化ビットレートに変換して出力手段から出力可能とする出力制御手段と、
を含むことを特徴とするデジタルカメラ。
【請求項２】
前記選択手段による前記非選択の動画データを出力するか否かを設定する出力設定手段を含み、前記出力制御手段が前記出力設定手段の設定に基づいて前記非選択の動画データを出力することを特徴とする請求項１に記載のデジタルカメラ。
【請求項３】
前記圧縮伸張手段によって圧縮処理を行うときの符号化ビットレートを設定する設定手段を含み、前記選択手段によって選択された動画データを前記出力手段から出力するときに、前記圧縮伸張手段が前記設定手段によって設定された符号化ビットレートに変換することを特徴とする請求項１又は請求項２に記載のデジタルカメラ。
【請求項４】
前記出力制御手段が、前記非選択の動画データを、前記記録媒体の空き容量に応じて設定した符号化ビットレートに応じて、前記圧縮伸張手段による変換処理を行うことを特徴とする請求項１から請求項３の何れかに記載のデジタルカメラ。
【請求項５】
前記出力手段から出力さえる動画データの総量が予め設定している制限値を越えることを許可するか否か選択する総量制限手段を含み、前記制限値に制限されたときに、前記非選択の画像データを低い符号化ビットレートに変換して出力することを特徴とする請求項１から請求項３の何れかに記載のデジタルカメラ。
【発明の詳細な説明】
【０００１】
【発明の属する技術分野】
本発明は、撮影によってＣＣＤ等の撮像デバイスに結像される被写体像のデジタル画像データを生成して、可搬式の記憶メディアに記憶するデジタルカメラに関する。詳細には、被写体像の静止画撮影に加えて動画撮影の可能なデジタルカメラに関する。
【０００２】
【従来の技術】
近年、デジタルカメラでは、高画質化と共に、記憶容量の増加（大容量化）が進んでいる。また、デジタルカメラでは、記憶容量の増加に伴って、動画撮影の可能となっているもの普及しており、また、動画の撮影時間も、以前は、数十秒程度であったものが、次第に長くなっている。
【０００３】
一方、動画撮影を目的とするビデオカメラ等では、従来、磁気テープを使用して、アナログ信号を磁気テープに記録するようにしていたが、近年の信号処理の進歩に伴って、動画像をデジタル信号に変換して記録するのが一般化している。
【０００４】
また、近年の記録媒体としては、ＣＤ（Ｃｏｍｐａｃｔ　Ｄｉｓｋ）等に加えてＤＶＤ（Ｄｉｇｉｔａｌ　Ｖｅｒｓａｔｉｌｅ　Ｄｉｓｋ）が普及しつつある。このＤＶＤは、１ＧＢ以上の記憶容量があり、音声や画像は勿論、長時間の動画の記録が可能となっている。
【０００５】
このようなＤＶＤには、記録されている画像の再生専用となるＤＶＤ−ＲＯＭのみならず、ＤＶＤ−Ｒ、ＤＶＤ＋Ｒ、ＤＶＤ＋ＲＷ、ＤＶＤ−ＲＷ、ＤＶＤ−ＲＡＭ等の動画の書込み可能な記憶媒体や、これらの記録媒体に動画等の記録を行うための記録装置も商品化されている。
【０００６】
一般に、ＣＤ等に動画を記録するときのデータ圧縮方式には、ＭＰＥＧ（Ｍｏｖｉｎｇ　Ｐｉｃｔｕｒｅ　Ｅｘｐｅｒｔｓ　Ｇｒｏｕｐ）−１が用いられているが、ＤＶＤへの動画の記録には、圧縮率が高く高画質で記録可能なＭＰＥＧ−２が用いられる。
【０００７】
このＭＰＥＧ−２方式は、データ圧縮を行うときの符号化ビットレートに自由度があり、動画圧縮を行うときのビットレートを変更できるようになっており、デジタルカメラ上で、このようなＭＰＥＧ−２方式のデータ圧縮（エンコード）を行うことにより、より長時間の動画撮影を可能とすることができ、特に高画質の静止画像を撮影可能なデジタルカメラの商品価値をさらに向上させることができる。
【０００８】
ところで、デジタルカメラで撮影した動画を高画質で再生可能とするためには、データ量が膨大となる。また、デジタルカメラで使用されている記憶メディアは、ＣＤやＤＶＤ等の記録媒体に比べて高価であるため、記憶容量の大きい記憶メディアを、さらに複数枚持つことは、デジタルカメラを使用する上で大きな負担となる。
【０００９】
このために、例えば、デジタルカメラの記憶メディアに記録した動画データをＣＤやＤＶＤ等の比較的安価な記録媒体に書き込んで、記憶メディアに新たな静止画や動画を記録（撮影）可能となるようにする方法が考えられるが、動画データは、容量が大きく、記録媒体の空き容量が不足しているために書込みが困難となることがある。
【００１０】
ここから、動画データから保存する範囲を選択して、選択範囲のみを記録媒体に記録することが考えられる。
【００１１】
【発明が解決しようとする課題】
しかしながら、デジタルカメラの記録メディアから他の記録媒体に書き込むときに、書込み範囲を選択するようにした場合、選択範囲を外れた画像は、撮影していたにもかかわらず見ることができなくなってしまうという問題が生じる。
【００１２】
また、必要となる（見たくなる）画像の動画データが消去されてしまうのを防止するためには、保存する動画データを慎重に選択する必要があり、このために、動画データの選択に時間がかかってしまう。
【００１３】
本発明は上記事実に鑑みてなされたものであり、記録メディアに記録した動画データ等を、他の記録媒体に書き込んで、記録メディアに新たな動画や静止画を記録できるようにするときに、高画質での画像撮影が可能であっても、撮影画像を効率的に記録媒体に書き込むことができるデジタルカメラを提案することを目的とする。
【００１４】
【課題を解決するための手段】
上記目的を達成するために本発明は、撮像デバイスに結像される被写体像に応じた電気信号をデジタル画像データに変換し、静止画像として保存可能であると共に、前記被写体像に応じた動画像を動画データとして保存可能なデジタルスチルカメラであって、前記撮影画像の動画データを記憶可能な記憶手段と、動画データを圧縮処理するときに符号化ビットレートを可変可能な圧縮形式を含み、前記記憶手段に記憶する画像データに所定の圧縮処理を施すと共に、記録手段に記録した動画データの伸張処理ないし符号化ビットレートを変更した圧縮処理を行う圧縮伸張手段と、動画データを記録媒体に書き込む書込み手段が接続されることにより、該書込み手段へ前記記憶手段に記録されている動画データを出力する出力手段と、前記記憶手段に記憶されている動画データから前記記録媒体に記録する動画データを選択する選択手段と、前記選択手段によって選択された動画データを所定の符号化ビットレートで前記出力手段から出力すると共に、非選択の動画データを選択された動画データの符号化ビットレートより低い符号化ビットレートに変換して出力手段から出力可能とする出力制御手段と、を含むことを特徴とする。
【００１５】
この発明によれば、記憶手段に記憶した動画データを選択手段によって選択して出力手段から、出力手段に接続している書込み手段へ出力して、可搬式の記録媒体に記録する。
【００１６】
このとき、出力制御手段は、選択された動画データを、圧縮伸張手段によって所定の符号化ビットレートに変換すると共に、非選択の動画データを選択された動画データよりも低い符号化ビットレートで変換して、出力手段から出力する。
【００１７】
これにより、長時間の動画データであっても、総データ量を抑えて記録媒体に書き込むことができ、撮影したにもかかわらず、動画データを消さなければならないことになるのを抑えることができる。特に、記憶手段の容量よりも記録媒体の容量や空き容量が少ない場合、保存する動画データを選択する必要があるが、このときにも、非選択の動画データを消してしまわなければならない事態が生じてしまうのを抑えることができる。
【００１８】
また、非選択の動画データも、低い符号化ビットレートで記録媒体に記録するので、記録媒体に記録する動画データの選択時間を短くすることが可能となる。すなわち、記録する動画データを選択するときに、迷いが少なくなるために、選択時間が短くなる。
【００１９】
このような本発明では、前記選択手段による前記非選択の動画データを出力するか否かを設定する出力設定手段を含み、前記出力制御手段が前記出力設定手段の設定に基づいて前記非選択の動画データを出力することが好ましい。
【００２０】
これにより、消去しても惜しくない動画データを保存してしまうことにより、記録媒体に大きな領域を占めてしまうのを防止できる。すなわち、非選択の動画データを、不必要に記録媒体に保存するのを抑えることができる。
【００２１】
また、本発明は、前記圧縮伸張手段によって圧縮処理を行うときの符号化ビットレートを設定する設定手段を含み、前記選択手段によって選択された動画データを前記出力手段から出力するときに、前記圧縮伸張手段が前記設定手段によって設定された符号化ビットレートに変換することがより好ましい。
【００２２】
本発明は、前記出力制御手段が、前記非選択の動画データを、前記記録媒体の空き容量に応じて設定した符号化ビットレートに応じて、前記圧縮伸張手段による変換処理を行うことを特徴とする。
【００２３】
この発明によれば、記録媒体の空き容量に合わせて、符号化ビットレートを設定する。これにより、選択した動画データのみならず、非選択の動画データも、記録媒体の空き容量に合わせて確実に保存することができる。
【００２４】
また、本発明は、前記出力手段から出力される動画データの総量が予め設定している制限値を越えることを許可するか否か選択する総量制限手段を含み、前記制限値に制限されたときに、前記非選択の画像データを低い符号化ビットレートに変換して出力することを特徴とする。
【００２５】
この発明によれば、予め設定した制限値に収まるように符号化ビットレートを設定して、選択された動画データのみならず、非選択の動画データも保存するようにしており、これにより、記録媒体に保存する動画データの総量を抑えることができる。
【００２６】
このように、本発明では、符号化ビットレートの可変可能な圧縮伸張手段を用いることにより、記録媒体に占める容量を抑えて、選択した動画データを高画質で再生可能となるように保存すると共に、少なくとも、非選択の動画データの内容が確認できるように記録媒体に保存できる。
【００２７】
【発明の実施の形態】
以下、図面を参照して本発明の実施の形態を説明する。図１には、本実施の形態に適用されるデジタルカメラ（デジタルカメラ１０）の一例を示している。
【００２８】
デジタルカメラ１０は、撮像デバイスとしてＣＣＤ（Ｃｈａｒｇｅ　Ｃｏｕｐｌｅｄ　Ｄｅｖｉｃｅ）１２が設けられており、このＣＣＤ１２に被写体像を結像させるレンズ等を含んで形成されている光学ユニット１４を備えている。ＣＣＤ１２は、二次元配列された図示しない多数の光電変換素子を備えており、光学ユニット１４を介してＣＣＤ１２に結像される被写体像に応じて、個々の光電変換素子に蓄積された電荷に応じた電気信号を出力する。
【００２９】
デジタルカメラ１０では、このＣＣＤ１２から出力される電気信号に基づいて、被写体像のデジタル画像データを生成する。なお、撮像デバイスとしては、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージセンサ等を用いることもできる。
【００３０】
デジタルカメラ１０には、信号処理部１６、Ａ／Ｄコンバータ（Ａ／Ｄ）１８、バッファメモリ２０及びタイミングジェネレータ（ＴＧ）２２が設けられている。
【００３１】
タイミングジェネレータ２２は、所定のタイミングでＣＣＤ１２に設けられている図示しない垂直・水平ドライバを駆動することにより、ＣＣＤ１２から各画素ごとの電気信号を出力させると共に、信号処理部１６及びＡ／Ｄコンバータ１８の動作タイミングを制御する。
【００３２】
これにより、ＣＣＤ１２から出力される電気信号は、信号処理部１６で、相関二重サンプリング処理が施されることによりノイズ除去が図られると共に、ＣＣＤ１２におけるＲ、Ｇ、Ｂの各色の感度調整、光源種に応じたデジタルゲインをかけることによるホワイトバランス調整（ＡＷＢ調整）、ガンマ処理及びシャープネス処理が施された後、各画素毎のＲ、Ｇ、Ｂの各色の信号として、Ａ／Ｄコンバータ１８に入力される。
【００３３】
Ａ／Ｄコンバータ１８は、各画素ごとのＲ、Ｇ、Ｂの各色の信号をデジタル信号に変換して出力する。これにより、被写体像に応じた８ビットのデジタル画像データがバッファメモリ２０に格納される。
【００３４】
また、デジタルカメラ１０には、測光、焦点距離を調整する撮影ＣＰＵ２４が設けられている。この撮影ＣＰＵ２４は、ＣＣＤ１２によって撮影された被写体像（バッファメモリ２０に格納されたデジタル画像データ）に基づいて設定される露光時間、絞り値等に応じて、図示しないドライバを介して光学ユニット１４に含まれるシャッタ及び絞りを駆動するシャッタ・アイリスモータドライバを制御する。
【００３５】
なお、撮影ＣＰＵ２４には、充電・発光制御部２６を介してストロボ２８が接続しており、ＣＣＤ１２に結像される被写体像を撮影するときのストロボ２８の発光を合わせて制御している。
【００３６】
一方、デジタルカメラ１０には、メインＣＰＵ３０、ＹＣ処理部３２及び各種のパラーメータやプログラムを記憶しているＥＥＰＲＯＭ３４が設けられ、これらがバッファメモリ２０及び撮影ＣＰＵ２４と共にバス（システムバス）３６に接続している。
【００３７】
光学ユニット１４は、ＣＣＤ１２に被写体像を結像するときの焦点調整を行う焦点調整モータ及びズームモータを備えており（何れも図示省略）、メインＣＰＵ３０は、撮影ＣＰＵ２４を介してＣＣＤ１２を用いた被写体像の撮像と共に、デジタルカメラ１０の全体の動作を制御する。
【００３８】
光学ユニット１４は、複数枚のレンズによって焦点距離の変更が可能なズームレンズが形成され、レンズ駆動機構のズームモータ及び焦点調整モータが撮影ＣＰＵ２４を介してメインＣＰＵ３０から入力される駆動信号によって駆動されることにより、倍率（光学ズーム倍率）変更及び焦点調整がなされる。
【００３９】
また、図２に示すように、デジタルカメラ１０には、デジタルカメラ１０の電源スイッチ（図示省略）と共に、シャッタスイッチ３８、メニュースイッチ（ＭＥＮＵ／ＯＫ）４０、上下左右の矢印（三角マーク）キーによって形成される選択キー４２等の各種のスイッチ（図２では一部を図示）を備えている。
【００４０】
図１に示すように、メインＣＰＵ３０には、これらのスイッチによって形成される操作キー４４が、図示しないインターフェイスを介して接続しており、これにより、メインＣＰＵ３０は、各種スイッチの操作状態の把握が可能となっている。
【００４１】
メインＣＰＵ３０は、撮影ＣＰＵ２４を制御することによりＴＧ２２からタイミング信号を出力して、ＣＣＤ１２に結像される被写体像に応じた電気信号を読み込み、この電気信号に基づいて生成したデジタル画像データをバッファメモリ２０に格納する。
【００４２】
なお、ＣＣＤ１２には、シャッタゲートを介してシャッタドレインが設けられた一般的構成となっており、シャッタゲートをシャッタパルスによって駆動することにより、ＣＣＤ１２に結像された被写体像に応じて各光電変換素子に蓄積された電荷に応じた電気信号を出力する。すなわち、ＣＣＤ１２は、シャッタゲートパルスによって各光電変換素子に蓄積される電荷の蓄積時間（シャッタスピード）が制御される所謂電子シャッタ機能を備えている。
【００４３】
また、メインＣＰＵ３０は、バッファメモリ２０に格納したデジタル画像データに基づいて、ＡＦ制御、ＡＥ制御及びＡＷＢ調整が行われるようにしている。すなわち、メインＣＰＵ３０は、ＣＣＤ１２による撮像によって得られる画像のコントラストが最大となるように焦点調整モータを駆動することにより焦点調整のための合焦制御を行う。
【００４４】
ＡＥ制御には、１フレームのＲ、Ｇ、Ｂ信号を積算した積算値に基づいて被写体輝度（撮影ＥＶ）を求め、この撮影ＥＶに基づいて露光制御値として、絞り値と、シャッタスピードを決定し、撮影ＣＰＵ２４を介して光学ユニット１４内のシャッタ・アイリスモータを駆動する。
【００４５】
また、ＡＷＢ調整は、被写体輝度（撮影ＥＶ）と、Ｒ／Ｇ、Ｂ／Ｇといった色情報を用いて光源種を判別し、光源の色温度にかかわらず白い被写体が白く色再現されるようにホワイトバランスを調整するためのデジタルゲインを設定する。
【００４６】
これにより、デジタルカメラでは、被写体をフォーカスフレーム内に配置することにより、ピント合わせが自動的になされると共に、最適露出及びＡＷＢ調整が行われる。
【００４７】
デジタルカメラ１０では、静止画を撮影するときに、シャッタスイッチ３８を半押しすることにより、上記動作を複数回繰返し、ピント調整を行うと共に、絞り値及びシャッタスピード、デジタルゲインを決定する。この状態（シャッタスイッチ３８の半押し状態）から、シャッタスイッチ３８をさらに押下して全押し状態とすることにより、先に決定した絞り値に基づいて、シャッタ・アイリスモータを駆動し、さらに、シャッタスピードの決定値に基づいて、シャッタ・アイリスモータを駆動し、被写体像に応じたデジタル画像データを得る。
【００４８】
ＹＣ処理部３２は、バッファメモリ２０に格納されたデジタル画像データを読み出して、このデジタル画像データに対して所定の画像処理を施す。このときに、ＹＣ処理部３２では、デジタル画像データに対してＹＣ信号処理を施すことにより、輝度信号Ｙとクロマ信号Ｃｒ、Ｃｂを生成し（以下「ＹＣ信号」とする）、このＹＣ信号を、図示しないＶＲＡＭ（Ｖｉｄｅｏ　ＲＡＭ）に格納する。
【００４９】
一方、デジタルカメラ１０は、ＣＣＤ１２に結像されている被写体像、ＣＣＤ１２による撮影によって得られる被写体像や各種の情報等表示するＬＣＤ４６を備えており、このＬＣＤ４６が、ＬＣＤドライバ４８及び信号変換部５０を介して、バス３６に接続している。
【００５０】
信号変換部５０は、ＹＣ処理部３２で生成されたＹＣ信号等を、ＬＣＤ４６での画像表示用のＲＧＢ信号（例えばＮＴＳＣ方式のカラー複合映像信号）に変換する。これにより、ＬＣＤ４６には、デジタル画像データに応じた画像や各種の情報が表示される。
【００５１】
また、デジタルカメラ１０には、出力コネクタ５２が設けられており、この出力コネクタ５２にモニタやＴＶを接続することにより、ＬＣＤ４６に表示する撮影画像を、モニタやＴＶに表示することができる。
【００５２】
なお、ＣＣＤ１２に結像される被写体像を表示するエレクトリック・ビューファインダ（ＥＶＦ）が設けられているときには、各種の情報や被写体像をＬＣＤ４６とＥＶＦとの何れに表示するかを切換える切換えスイッチを用いて、切換えることができる。
【００５３】
また、デジタルカメラ１０には、操作表示を行うＬＣＤ５４が設けられており、このＬＣＤ５２が図示しないインターフェイスを介して、メインＣＰＵ３０に接続しており、これにより、ＬＣＤ５４に各種の撮影情報が表示される。
【００５４】
ところで、デジタルカメラ１０には、圧縮・伸張部５６が設けられており、この圧縮伸張部５６が、バス３６に接続している。また、この圧縮・伸張部５６には、インターフェイス（Ｉ／Ｆ）５８を介して可搬式の記憶メディアであるメモリカード６０が、記憶手段として装着されるようになっている。
【００５５】
このメモリカード６０としては、スマートメディア、ＩＣカード、ＣＤ−Ｒ、ＣＤ−ＲＷなどの可搬型の記憶メディア（記憶媒体）の適用が可能となっており、デジタルカメラ１０には、適用する記憶メディアに応じたＩ／Ｆ５８が設けられている。
【００５６】
メインＣＰＵ３０は、ＹＣ処理を施したデジタル画像データに対して、圧縮・伸張部５６で所定の圧縮処理を施して、メモリーカード６０に記録する。また、メインＣＰＵ３０は、メモリカード６０に記憶されているデジタル画像データを読み出すときに、圧縮・伸張部５６で伸張処理を施す。これにより、メモリカード６０に記憶しているデジタル画像データに応じた画像を、ＬＣＤ４６等に表示可能となるようにしている。
【００５７】
一方、デジタルカメラ１０では、静止画撮影に加えて、動画撮影が可能となっている。すなわち、デジタルカメラ１０には、メモリカード６０等に記録しているデジタル画像データ等を、ＬＣＤ４６に表示する再生モードと、静止画撮影を行う静止画撮影モードと、動画撮影を行う動画撮影モードと、の何れかに切換えて使用可能となっている。なお、デジタルカメラ１０としては、動画撮影中に静止画撮影が可能な動画／静止画撮影モードを備えたものであっても良い。
【００５８】
静止画撮影モードでは、１回のシャッタスイッチ３８の操作によって、１シーンの被写体像を得る。このとき、メインＣＰＵ３０では、シャッタスピード及び絞り値等を最適に制御して、ＣＣＤ１２の画素数に応じた高解像度の得ることができる。なお、静止画撮影モードには、連写モードが含まれ、この連写モードでは、シャッタスイッチ３８を押下しつづけることにより、複数シーンの静止画撮影（連写）が可能となっている。
【００５９】
これに対して、動画撮影モードでは、例えば１秒間に１０フレーム分の被写体像が得られるシャッタスピード、絞り値等が設定され、シャッタスイッチ３８が押下されてから、次にシャッタスイッチ３８が押下されるまでの間のフレームが連続するようにデジタル画像データが生成される。
【００６０】
圧縮・伸張部５６は、１チップのＬＳＩ（Ｌａｒｇｅ　Ｓｃａｌｅ　Ｉｎｔｅｇｒａｔｅｄ　ｃｉｒｃｕｉｔ）を用いるなどして形成されており、静止画撮影を行った時に、この静止画のデジタル画像データをＪＰＥＧ（Ｊｏｉｎｔ　Ｐｈｏｔｏｇｒａｐｈｉｃ　Ｃｏｄｉｎｇ　Ｅｘｐｅｒｔ　Ｇｒｏｕｐ）等の圧縮方式を用いて、圧縮処理を行う。
【００６１】
また、圧縮・伸張部５６では、動画撮影により得られるデジタル画像データを、ＭｏｔｉｏｎＪＰＥＧや符号化ビットレートが１Ｍｂｐｓ程度で従来から使用されているＭＰＥＧ（Ｍｏｖｉｎｇ　Ｐｉｃｔｕｒｅ　Ｅｘｐｅｒｔ　Ｇｒｏｕｐ）−１に加えて、符号化ビットレートが４Ｍｂｐｓ〜数十Ｍｂｐｓの間で可変可能で動画像を高品質で再現可能なＭＰＥＧ−２の圧縮方式を用いて圧縮処理を行う。なお、圧縮・伸張部５６としては、これらに加えて、各種の通信に用いられるＭＰＥＧ−４等による圧縮及び伸張処理が可能となるものであっても良い。
【００６２】
なお、以下では、静止画のデジタル画像データを静止画データ、動画のデジタル画像データを動画データ（動画ファイルを含む）として説明する。また、以下では、説明を省略するが、動画データに音声データが含まれるときには、例えばＭＰＥＧ−１ではＭＰＥＧ−１　Ａｕｄｉｏ　ＬａｙｅｒＩ〜ＩＩＩを適用するなどして、音声データを動画データに対応した圧縮方式で圧縮及び伸張処理が可能となっている。
【００６３】
一方、デジタルカメラ１０には、パーソナルコンピュータ（ＰＣ）６２との接続に用いるインターフェイス（Ｉ／Ｆ）６４に加え、例えばＤＶＤ（Ｄｉｇｉｔａｌ　Ｖｅｒｓａｔｉｌｅ　Ｄｉｓｋ）やＣＤ（Ｃｏｍｐａｃｔ　Ｄｉｓｃ）等の各種の記録媒体に記録されている画像データ等を読み出したり、これらの記憶媒体に画像データ等を記録可能な書込み手段として適用するディスクドライブ６６（図２も参照）の接続に用いるインターフェイス（Ｉ／Ｆ）６８が設けられており、これらが、バス３６に接続している。
【００６４】
これにより、デジタルカメラ１０では、各種の圧縮形式で圧縮処理されるか圧縮処理されていない静止画データないし動画データを、ＰＣ６２やディスクドライブ６６から読み込んで、ＬＣＤ４６に表示したり、所定の圧縮処理を施して、メモリカード６０に記録することができる。また、デジタルカメラ１０では、圧縮処理してメモリカード６０に記録している静止画データないし動画データを、ＰＣ６２に出力したり、ディスクドライブ６６に出力して、記録媒体に書き込むことができるようになっている。
【００６５】
なお、このようなディスクドライブ６６に装填される記録媒体としては、ＣＤ−ＲＯＭ、ＤＶＤ−ＲＯＭ等の読み取り専用の記録媒体に加えて、ＣＤ−Ｒ、ＣＤ−ＲＷ（以下、総称して「ＣＤ−Ｒ」とする）、ＤＶＤ−Ｒ、ＤＶＤ＋Ｒ、ＤＶＤ−ＲＷ、ＤＶＤ＋ＲＷ、ＤＶＤ−ＲＡＭ（以下、総称して「ＤＶＤ−Ｒ」とする）等を用いることができる。また、記録媒体としては、これらに限らず、従来公知の各種の記録媒体を適用することができる。
【００６６】
すなわち、ディスクドライブ６６としては、ＣＤ、ＤＶＤ等の記録媒体にデータの書込みが可能なＣＤドライブやＤＶＤドライブ等の、使用する記録媒体に応じた再生／書込み装置を適用することができる（図２参照、以下「記録ディスク７４」とする）。
【００６７】
また、デジタルカメラ１０に設けている圧縮・伸張部５６は、圧縮方式の選択と共に、ＭＰＥＧ−２で圧縮処理を行うときの符号化ビットレートの変換が可能となっている。これにより、例えば、ＭＰＥＧ−１で圧縮処理されてＰＣ６２から入力される動画データを、ＭＰＥＧ−２に圧縮変換して、ディスクドライブ６６に出力したり、ＭＰＥＧ−２で圧縮処理されている動画データを、ディスクドライブ６６から読み込み、ＭＰＥＧ−１の圧縮形式に変換して、ＰＣ６２へ出力するなどが可能となっている。
【００６８】
このときに、デジタルカメラ１０では、入出力する動画像をＬＣＤ４６に表示することも可能となっている。なお、デジタルカメラ１０には、スピーカー７０が設けられており、このスピーカー７０がインターフェイス（Ｉ／Ｆ）７２を介してバス３６に接続しており、これにより、動画データに含まれる音声データに応じた音（音声）の出力が可能となっている。
【００６９】
このようなデジタルカメラ１０とＰＣ６２を接続するＩ／Ｆ６４及びディスクドライブ６６を接続するＩ／Ｆ６８としては、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４、ＵＳＢ（Ｕｎｉｖｅｒｓａｌ　Ｓｅｒｉａｌ　Ｂｕｓ）、ＵＳＢ−２、ＩＤＥ（Ｉｎｔｅｇｒａｔｅｄ　Ｄｅｖｉｃｅ　Ｅｌｅｃｔｒｏｎｉｃｓ）、ＳＣＳＩ（Ｓｍａｌｌ　Ｃｏｍｐｕｔｅｒ　Ｓｙｓｔｅｍ　Ｉｎｔｅｒｆａｃｅ）、ＬＡＮ（Ｌｏｃａｌ　Ａｒｅａ　Ｎｅｔｗｏｒｋ）、無線ＬＡＮ、赤外線（ＩｒＤＡ：Ｉｎｆｒａｒｅｄ　Ｄａｔａ　Ａｓｓｏｃｉａｔｉｏｎ）等の従来公知の各種通信方式に対応するものを用いることができる。
【００７０】
一方、デジタルカメラ１０では、メモリーカード６０に記録されている動画データを、Ｉ／Ｆ６８から出力して、ディスクドライブ６６に装填されている記録ディスク７４に書き込むときに、一つの動画データから記録ディスク７４に書き込む範囲を選択することができる。
【００７１】
このとき、デジタルカメラ１０では、例えばＤＶＤ−Ｒに動画データを書き込むときの圧縮形式として使用されるＭＰＥＧ−２を用いることができ、そのときの符号化ビットレートの設定も可能となっている。
【００７２】
また、デジタルカメラ１０では、ディスクドライブ６６に装填されている記録ディスク７４の空き容量（書込み可能容量）を検出し、この空き容量に基づいて動画データの選択範囲と共に非選択範囲の書込みも可能となっており、これにより、撮影した動画がメモリカード６０に記録したにもかかわらず、記録ディスク７４に書き込むように選択しなかったために、完全に消去されてしまうのを防止できるようにしている。
【００７３】
このように構成されているデジタルカメラ１０では、図示しないモード切換えスイッチによって静止画撮影モードが選択されて、シャッタスイッチ３８が操作されることにより、被写体を静止画として撮影する。このとき、デジタルカメラ１０に設けているメインＣＰＵ３０は、ＣＣＤ１２に結像される被写体像から、ピント調整（合焦制御）を行うと共に露光時間（シャッタスピード）や絞り値を設定して、設定したシャッタスピード及び絞り値で、静止画撮影を行う。また、メインＣＰＵ３０では、ＣＣＤ１２に結像される被写体像に基づいて決定したデジタルゲインに基づいたホワイトバランス（ＡＷＢ）調整、ガンマ処理及びシャープネス処理を行った後、ＹＣ処理を行うことにより静止画データを得る。
【００７４】
また、デジタルカメラ１０では、この静止画データを圧縮・伸張部５６で例えばＪＰＥＧ形式で圧縮処理してメモリカード６０に記録する。
【００７５】
一方、デジタルカメラ１０は、動画撮影モードに設定された状態でシャッタスイッチ３６を操作することにより動画撮影を開始する。このとき、メインＣＰＵ３０は、例えば、シャッタスピードを固定値として、ＣＣＤ１２に結像された被写体像に基づいて設定した絞り値で被写体像を撮影して、ＡＷＢ調整、ガンマ処理及びシャープネス処理を行い、１０フレーム／秒の動画データを得る。
【００７６】
この動画データは、ＹＣ処理が施された後に、圧縮・伸張部５６で圧縮処理されてメモリカード６０に記録される。
【００７７】
このとき、圧縮・伸張部５６は、動画データを、従来のＭＰＥＧ−１よりも高画質で圧縮可能なＭＰＥＧ−２の圧縮形式で圧縮可能となっており、長時間撮影された動画データを高画質で再生可能できるようにしている。
【００７８】
デジタルカメラ１０では、動画撮影モードで、ユーザーインターフェイスとして、例えば、図３（Ａ）に示す如き設定画面８０を表示し、動画データの変換形式を選択可能としても良い。この設定画面８０では、選択キー４２の上下操作によってカーソルを移動することにより変換形式を選択し、メニュースイッチ（ＯＫスイッチ）４０を操作することにより、選択した変換形式に設定される。
【００７９】
このとき、ＭＰＥＧ−２を選択したときには、図３（Ｂ）に示す詳細設定画面８２をＬＣＤ４６に表示して、符号化ビットレートをオート（自動設定、例えば標準値８Ｍｂｐｓ）にするかマニュアルにするかを選択可能とし、マニュアルを選択した時には、さらに、選択キー４２の左右操作及び上下操作によって、予め設定されている範囲内で任意の符号化ビットレートに設定することができる。
【００８０】
ところで、デジタルカメラ１０では、Ｉ／Ｆ６８を介して、メモリカード６０に記録した動画データをディスクドライブ６６へ出力することにより、ディスクドライブ６６に装填されている記録ディスク７４に書き込んで保存することができるようになっている。
【００８１】
以下に、第１の実施の形態及び第２の実施の形態として、図面を参照しながら記録ディスク７４へ画像データを記録するためのＩ／Ｆ６８を介したメモリカード６０からの画像データの出力を説明する。なお、動画撮影によって得られる動画データは、所定の符号化ビットレート（例えば標準値）のＭＰＥＧ−２でメモリカード６０に記録されているものとするが、メモリカード６０に記録されている動画データの圧縮形式はこれに限るものではない。
〔第１の実施の形態〕
図４には、第１の実施の形態に係る、動画データの書込み（出力）処理の概略を示している。このフローチャートでは、メモリカード６０にＭＰＥＧ−２で圧縮処理して記録している動画データの、記録ディスク７４への書込み（ディスクドライブ６６への出力、以下「記録ディスク７４への書込み」とする）が選択されると実行され、最初のステップ１００では、書込み範囲の選択を行う。
【００８２】
この書込み範囲の選択は、一つの動画データの全てを指定するか、一部の領域を指定するかを選択する。また、一部の領域を指定するときには、例えば、プレビュー画像を表示して書込み開始位置と書込み終了位置を指定するなどの方法を用いることができる。
【００８３】
次のステップ１０２では、選択した動画データを記録ディスク７４に書き込む時の符号化ビットレートの設定を行う。この符号化ビットレートの設定は、例えば、ユーザーインターフェイスとして、図５（Ａ）に示す設定画面８６をＬＣＤ４６に表示して、自動設定（オート）を行うかマニュアル設定を行うかを選択し、マニュアル設定を選択した時には、選択スイッチ４２などの選択キー４４の操作によって所定範囲の任意の値を選択できるようにしている。また、設定画面８６では、プレビュー表示の選択が可能となっており、カーソルを「プレビュー」に合わせることにより、例えば図５（Ｂ）に示すプレビュー画面８８を表示し、選択した符号化ビットレートで保存した時の再生画像の確認が可能となるようにしている。
【００８４】
図４に示すフローチャートでは、ステップ１０２での符号化ビットレートの設定が終了すると、ステップ１０４へ移行して、一つの動画データの全てを保存するように選択しているか否かを確認し、すべてを選択しているときには、ステップ１０４で肯定判定してステップ１０６へ移行し、ディスクドライブ６６に装填している記録ディスク７４の空き容量の確認を行う。
【００８５】
この後、ステップ１０８では、記録ディスク７４の空き容量が、選択した動画データを設定した符号化ビットレートに変換して書込み可能な容量であるか否かを判断する。
【００８６】
ここで、例えば、メモリカード６０の容量より記録ディスク７４の容量が少なかったり、記録ディスク７４に既に何らかのデータが保存されているために、記録ディスク７４の空き容量が不足しているときには、ステップ１０８で否定判定して、ステップ１１０へ移行し、符号化ビットレートの設定が自動設定であるか否かを確認し、符号化ビットレートの設定がマニュアル設定であるときには、ステップ１１０で否定判定してステップ１００へ移行し、書込み領域の再選択を要求する。なお、図４では、一例として書込み領域の再選択から要求するようにしているが、符号化ビットレートの再設定を要求するように、ステップ１０２へ移行するようにしても良い。
【００８７】
符号化ビットレートが自動設定に設定されているとき（ステップ１１０で肯定判定）には、ステップ１１２へ移行し、保存する動画データの容量と記録ディスク７４の空き容量に基づいて、選択した動画データが記録ディスク７４に着込み可能となるように符号化ビットレートを下げて設定する。
【００８８】
なお、ＬＣＤ４６に符号化ビットレートを変更したことを表示すると共に、変更した符号化ビットレートに対するプレビュー画像を表示するようにしても良い。また、符号化ビットレートを下げても、記録ディスク７４の空き容量が十分でないときには、記録ディスク７４の交換を要求するようにしても良い。
【００８９】
このようにして、記録ディスク７４の空き容量に応じて符号化ビットレートの設定が行われるか、ステップ１０８で肯定判定されると、ステップ１１４へ移行して、選択された画像データを、設定された符号化ビットレートのＭＰＥＧ−２に変換ないし圧縮処理して、Ｉ／Ｆ６８からディスクドライブ６６へ出力することにより、ディスクドライブ６６に装填されている記録ディスク７４に動画データを書き込む。
【００９０】
一方、書込みする動画データの一部が設定されているときには、ステップ１０４で否定判定してステップ１１６へ移行し、非選択領域を保存するか否かを設定する。この設定は、例えば、図５（Ｃ）に示す設定画面９０をＬＣＤ４６に表示して、非選択領域の動画データを保存するか否かの選択を行うようにする。この設定画面９０では、非選択領域の動画データの保存を選択した時には、非選択領域の動画データに対する符号化ビットレートの設定が可能となるようにしている。また、非選択領域を保存するときの符号化ビットレートは、ＭＰＥＧ−２の規格の下限値以上であり、選択された領域に対する符号化ビットレートを越えない範囲で設定される。
【００９１】
図４に示すフローチャートでは、非選択領域に対する処理の選択画終了すると、ステップ１１８へ移行して、非選択領域の保存を選択されているか否かの確認を行う。このとき、非選択領域の動画データの保存が選択されていないときには、ステップ１１８で否定判定してステップ１０６へ移行し、動画データの全てを選択した時と同様に、選択した動画データの保存を行うようにする。
【００９２】
これに対して、非選択領域の保存を選択しているときには、ステップ１１８で肯定判定してステップ１２０へ移行し、記録ディスク７４の空き領域を確認する。
【００９３】
この後、ステップ１２２では、記録ディスク７４の空き領域に、動画データの選択した領域及び非選択領域のそれぞれを、設定されている符号化ビットレートで保存可能な否かを判断する。
【００９４】
これにより、記録ディスク７４の空き領域が、動画データの選択した領域及び非選択領域のそれぞれを設定されている符号化ビットレートで保存するのに十分であるときには、ステップ１２２で肯定判定して、ステップ１１４へ移行し、設定に基づいて、メモリカード６０に記録されている動画データを、設定されている符号化ビットレートに変換しながら記録ディスク７４へ書き込む。
【００９５】
一方、記録ディスク７４の空き領域が不足しているときには、ステップ１２０で否定判定して、ステップ１２２へ移行し、符号化ビットレートの再設定を行う。
【００９６】
図６には、符号化ビットレートの再設定の概略を示している。このフローチャートでは、まず、ステップ１３０で、非選択領域の符号化ビットレートを下げるように設定し、ステップ１３２では、符号化ビットレートを下げることにより、記録ディスク７４の空き領域に、画像データの選択した領域と非選択領域を書き込むことができるか否かを確認する。
【００９７】
このときに、変更した符号化ビットレートを適用しても、動画データの容量が記録ディスク７４の空き領域を越えるときには、ステップ１３２で否定判定してステップ１３４へ移行し、非選択領域に対する符号化ビットレートが設定可能範囲の最低値に達しているか否かを確認し、最低値に達していないときには、ステップ１３４で否定判定してステップ１３０へ移行し、非選択領域の符号化ビットレートを１段階下げる。
【００９８】
このようにして、非選択領域の符号化ビットレートを下げても、記録ディスク７４の空き容量を越えるときには、ステップ１３４で肯定判定されて、ステップ１３６へ移行し、選択領域に対する符号化ビットレートを１段階下げる。これと共に、ステップ１３８では、非選択領域の動画データに対する符号化ビットレートを、選択領域の符号化ビットレートを越えない範囲で再設定してステップ１３２へ移行して、記録ディスク７４に書込み可能な容量に達したか否かを確認する。
【００９９】
なお、符号化ビットレートを設定値よりも下げたときには、その旨をＬＣＤ４６に表示すると共に、下げた符号化ビットレートでのプレビュー画像を表示するようにして、確認を促すことが好ましい。
【０１００】
このようにして、記録ディスク７４の空き容量に応じて符号化ビットレートを設定し、記録ディスク７４へ記録可能となると、ステップ１３２で肯定判定して、このフローチャートを終了し、図４のステップ１１４へ移行する。
【０１０１】
これにより、動画データは、選択された領域は勿論、非選択領域も記録ディスク７４に書き込まれ、メモリカード６０に記録された動画データが、新たな動画撮影ないし静止画撮影に用いるために削除されても、記録ディスク７４に記録された動画データを用いて確認することができる。
〔第２の実施の形態〕
次に図７を参照しながら、第２の実施の形態を説明する。前記した第１の実施の形態では、記録ディスク７４の空き容量に応じて符号化ビットレートを設定することにより、メモリカード６０に記録されている動画データを、記録ディスク７４に書き込むようにしたが、第２の実施の形態では、記録ディスク７４に記録するためにＩ／Ｆ６８から出力するデータ容量を設定する。なお、第２の実施の形態の基本的構成は、前記した第１の実施の形態と同じであり、同一のステップには、同一の符号を付与して、その説明を省略する。
【０１０２】
図７のフローチャートでは、最初のステップ１４０で、記録ディスク７４に書き込むデータ量を制限するか否かを設定し、データ量を制限するときには、ステップ１４０で肯定判定して、ステップ１４２へ移行し、記録ディスク７４へ書き込むデータ量を設定する。このデータ量としては、例えば、ＤＶＤ−Ｒに書き込むデータの最低容量として設定されている１Ｇｂｙｔｅ（バイト）などに設定することができる。なお、出力する動画データの容量を制限するか否かの設定及び制限値の設定は、任意のユーザーインターフェイスをＬＣＤ４６に表示して行うことができる。
【０１０３】
この後、ステップ１００では、保存領域を選択し、ステップ１０２では、保存領域の動画データをＭＰＥＧ−２に変換するときの符号化ビットレートを設定する。
【０１０４】
次のステップ１０４出は、全データを保存するか否かを確認し、全データを保存するように選択されているときには、ステップ１０４で肯定判定してステップ１４４へ移行し、データ量の制限が設定されているか否かを確認し、データ量の制限が設定されていないときには、ステップ１４４で否定判定して、ステップ１４６へ移行し、前記したステップ１１４に相当する処理として、選択された動画データを設定された符号化ビットレートに変換しながら、Ｉ／Ｆ６８からディスクドライブ６６へ出力し、記録ディスク７４への書込みを開始する。
【０１０５】
このとき、ステップ１４８では、選択されている全データの出力（書込み）が終了したか否かを確認し、ステップ１５０では、記録ディスク７４に空き容量が無くなったかを確認する。
【０１０６】
ここで、選択された動画データの変換出力が終了する前（ステップ１４８で否定判定されている状態）に、記録ディスク７４に空き領域が無くなった時には、ステップ１５０で肯定判定して、ステップ１５２へ移行し、記録ディスク７４の交換を促し、記録ディスク７４が交換される（ステップ１５４で肯定判定）と、ステップ１４６へ移行して、動画データの変換出力を再開し、選択された動画データを記録ディスク７４に記録して保存する。なお、記録ディスク７４の交換要求は、ＬＣＤ４６に所定の表示を行うものであっても良く、また、ＬＣＤ４６の表示に加えて、音声や警告音等によって報知するものであっても良い。
【０１０７】
一方、データ量の制限が設定されているときには、ステップ１４４で肯定判定されてステップ１５６へ移行する。このステップ１５６では、選択した領域の動画データを設定された符号化ビットレートで変換したときの容量が制限値を越えるか否かを確認し、制限値を越えないときには、ステップ１５６で肯定判定してステップ１４６へ移行し、記録ディスク７４への書込みを行う。
【０１０８】
また、選択した領域の動画データを設定された符号化ビットレートで変換したときの容量が制限値を越えるときには、ステップ１５６で肯定判定してステップ１１０へ移行し、符号化ビットレートの設定が自動設定であるか否かを確認する。このとき、符号化ビットレートの自動設定に設定されているときには、ステップ１１０で肯定判定してステップ１１２へ移行し、データ量が制限値内となるように符号化ビットレートの再設定を行う。また、符号化ビットレートがマニュアル設定であるときには、ステップ１１０で否定判定して、ステップ１００へ移行して、選択領域の再設定ないし符号化ビットレートの再設定が行われるようにして、データ量が制限値に抑えられるように選択ないし設定されるようにする。
【０１０９】
一方、動画データの一部を書込みするように選択されているときには、ステップ１０４で否定判定してステップ１１６へ移行し、非選択領域を保存するか否かを設定する。また、このステップ１１６では、非選択領域を保存するように設定されたときには、非選択領域の動画データに対する符号化ビットレートを設定する。
【０１１０】
この後、ステップ１５８では、データ量の制限が設定されているか否かを確認し、データ量の制限が設定されていないときには、ステップ１５８で否定判定して、ステップ１４６へ移行し、設定された符号化ビットレートでの動画データの変換出力を開始する。このとき、非選択領域の動画データの保存が選択されているときには、非選択領域の動画データを、設定されている符号化ビットレートで変換して出力する。
【０１１１】
また、データ量の制限が設定されているときには、ステップ１５８で肯定判定して、ステップ１１８へ移行し、非選択領域の保存が設定されているか否かを確認し、非選択領域の保存が設定されていないときには、ステップ１１８で否定判定してステップ１２２へ移行し、選択領域の動画データを制限値内となるようにして、記録ディスク７４に書き込む。
【０１１２】
これに対して、非選択領域の保存が選択されているときには、ステップ１１８で肯定判定してステップ１６０へ移行し、選択領域及び非選択領域の動画データを設定されている符号化ビットレートで変換した時のデータ量が制限値を越えるか否かを確認し、制限値を越えないときには、ステップ１６０で否定判定して、ステップ１４６へ移行し、選択された領域及び非選択領域のそれぞれを設定された符号化ビットレートで変換出力して、記録ディスク７４に書き込む。
【０１１３】
一方、選択領域及び非選択領域の動画データを設定されている符号化ビットレートで変換した時のデータ量が制限値を越えるときには、ステップ１６０で肯定判定してステップ１６２へ移行し、データ量が制限値を越えないように非選択領域の動画データの符号化ビットレートまたは選択領域の符号化ビットレートと非選択領域の符号化ビットレートを、データの総量が制限値を越えないように再設定した後に、ステップ１４６へ移行して、設定に基づいて符号化ビットレートでの動画データの変換出力を行う。なお、ステップ１６２での符号化ビットレートの再設定は、記録ディスク７４の空き容量を制限値に置き換えることにより、前記した図４のステップ１２２（図６のフローチャート）と同様にして設定することができる。
【０１１４】
このようにして、動画データをＭＰＥＧ−２に変換して記録ディスク７４に書き込むときに、制限値に応じて符号化ビットレートを設定することにより、記録ディスク７４内の限られた領域内にメモリカード６０に記録している動画データを、選択した領域のみならず、非選択領域まで記録することができるので、メモリカード６０に記録された動画データが、新たな動画撮影ないし静止画撮影に用いるために削除されても、記録ディスク７４に記録された動画データを用いて確認することができる。
【０１１５】
すなわち、前記した第１の実施の記録ディスク７４の空き容量に変えて、制限値を設けた場合でも、符号化ビットレートを可変できるＭＰＥＧ−２での圧縮形式を適用することにより、記録ディスク７４に書き込む動画データのデータ量が増大するのを抑えながら、メモリーカード６０に記録している動画データが消えてしまうのを防止することができる。
【０１１６】
なお、図７に示すフローチャートでは、変換出力するデータ量が制限値を越えていなければ、そのままの設定で記録ディスク７４に書き込むようにしたが、変換出力する動画データにダミーデータを付加して、記録ディスク７４に書き込むデータ量が制限値になるようにしても良い。これにより、たとえば、記録ディスク７４として、書き込む動画データの最低容量が設定されているＤＶＤ（ＤＶＤ−Ｒ）へも、デジタルカメラ１０によって撮影した動画の動画データを書き込むことが可能となる。
【０１１７】
このように、デジタルカメラ１０では、動画撮影を行うことによりメモリカード６０に格納した動画データを、記録ディスク７４に保存するときに、選択した領域の動画データのみならず、非選択の領域の動画データを合わせて保存可能となっているので、記録ディスク７４に保存する領域（動画データ）の選択を簡単に行うことができる。すなわち、非選択の動画データであっても消去されないようにできるため、領域選択を安易に行うことができる。
【０１１８】
また、選択した領域は勿論、非選択の領域を記録ディスク７４に保存するときにも、記録ディスク７４の空き容量に応じて符号化ビットレートを選択ないし設定されるため、記録ディスク７４の空き容量を気にしながら動画データの選択を行う必要が内ために、動画データの記録ディスク７４への保存作業を、容易にかつ短時間で行うことができる。
【０１１９】
なお、以上説明した本実施の形態は、本発明の一例を示すものであり、本発明の構成を限定するものではない。例えば、第１及び第２の実施の形態では、動画データを記録ディスク７４に書き込むときに、選択領域及び非選択領域のそれぞれの動画データに対する符号化ビットレートや、データ量の制限および制限値等を設定するようにしたが、これらは、予め設定してあるものであっても良い。
【０１２０】
また、本発明は、本実施の形態に適用したデジタルカメラ１０に限らず、動画撮影の可能な任意の構成のデジタルカメラに適用することができる。
【０１２１】
【発明の効果】
以上説明したように本発明によれば、符号化ビットレートを可変できる圧縮伸張手段を設けることにより、動画データを記録媒体に記録するときの容量を抑えながら、選択した動画データのみならず、非選択の動画データを記録媒体に書き込んで保存することができる。これにより、撮影したにもかかわらず、消去しなければならない撮影シーンが生じるのを防止することができるという優れた効果が得られる。
【図面の簡単な説明】
【図１】本実施の形態に適用したデジタルカメラの概略構成を示すブロック図である。
【図２】デジタルカメラの要部及びでデジタルカメラに接続されるディスクドライブを示す概略斜視図である。
【図３】（Ａ）は動画データの圧縮設定を行う設定画面の一例を示す概略図、（Ｂ）はＭＰＥＧ−２が選択されたときの符号化ビットレートの設定を行う詳細設定画面の一例を示す概略図である。
【図４】第１の実施の形態でメモリカードに記録した動画データの記録ディスクへの書込みの概略を示す流れ図である。
【図５】（Ａ）は選択した領域の動画データに対する符号化ビットレートの設定に用いる設定画面の一例を示す概略図、（Ｂ）は図５（Ａ）でプレビューが選択されたときのプレビュー画面の一例を示す概略図、（Ｃ）は非選択領域の動画データの保存／非保存の選択と保存を選択したときの符号化ビットレートの設定を行う設定画面の一例を示す概略図である。
【図６】記録ディスクの空き容量に応じた符号化ビットーレートの再設定の一例を示す流れ図である。
【図７】第２の実施の形態でメモリカードに記録した動画データの記録ディスクへの書込みの概略を示す流れ図である。
【符号の説明】
１０　　デジタルカメラ
１２　　ＣＣＤ（撮像デバイス）
１４　　光学ユニット
３０　　メインＣＰＵ（選択手段、出力制御手段、設定手段、出力設定手段、総量制限手段）
４４　　操作キー
４６　　ＬＣＤ
５６　　圧縮・伸張部（圧縮伸張手段）
６０　　メモリカード（記憶手段）
６６　　ディスクドライブ（書込み手段）
６８　　Ｉ／Ｆ（出力手段）
７４　　記録ディスク（記録媒体）
【図１】
2004120367.tif 000003
【図２】
2004120367.tif 000004
【図３】
2004120367.tif 000005
【図４】
2004120367.tif 000006
【図５】
2004120367.tif 000007
【図６】
2004120367.tif 000008
【図７】
2004120367.tif 000009